(57)【要約】【課題】  電池パックの破損や変形を抑制することが可能な電池パック及び電気機器を提供する。【解決手段】  外郭を形成し、上面において前後方向に互いに略平行に延びる一対の電池側レール部を有する筐体と、前記筐体に収容される複数の電池セルと、を備え、前記電池側レール部は、前記上面から上方に突出し側面を有する第１部分と、前記第１部分の側面から左右方向に突出し下面を有する第２部分と、前記側面と前記下面とを接続する接続部と、を有し、前記接続部に、左右方向において、前記側面よりも前記第２部分が突出する方向と反対側に凹んだ曲面を有する凹部を設けた。【選択図】図５
2019145461.tif 000002
【特許請求の範囲】
【請求項１】
外郭を形成し、上面において前後方向に互いに略平行に延びる一対の電池側レール部を有する筐体と、
前記筐体に収容される複数の電池セルと、を備え、
前記電池側レール部は、前記上面から上方に突出し側面を有する第１部分と、前記第１部分の側面から左右方向に突出し下面を有する第２部分と、前記側面と前記下面とを接続する接続部と、を有し、
前記接続部に、左右方向において、前記側面よりも前記第２部分が突出する方向と反対側に凹んだ曲面を有する凹部を設けたことを特徴とする電池パック。
【請求項２】
前記曲面の中心は、前記側面の延長線上から左右方向で前記第２部が突出する方向にずれて位置することを特徴とする請求項１に記載の電池パック。
【請求項３】
前記電池側レール部は、前後方向の一端側が開放されると共に他端側が閉鎖されており、
前記凹部は前記電池側レール部の長手方向において、少なくとも前記開放端側に設けられることを特徴とする請求項１又は２に記載の電池パック。
【請求項４】
前記凹部は前記電池側レール部の長手方向の全域に設けられることを特徴とする請求項３に記載の電池パック。
【請求項５】
前記電池側レール部は、前後方向の一端側が開放されると共に他端側が閉鎖されており、
前記第１部分の前記開放側の端部は曲面形状となっており、
前記凹部の凹み寸法は前記曲面形状の曲面よりも小さいことを特徴とする請求項１乃至４のいずれか一項に記載の電池パック。
【請求項６】
前記凹部の前記側面からの凹み寸法を、前記第１部分の左右方向の幅寸法に対して２％以上且つ１５％以下とすることを特徴とする請求項１乃至５のいずれか一項に記載の電池パック。
【請求項７】
前記曲面の半径を、前記第１部分の左右方向の幅寸法に対して１５％以上且つ２５％以下とすることを特徴とする請求項１乃至６のいずれか一項に記載の電池パック。
【請求項８】
前記側面の延長上に位置する前記凹部の上下方向の寸法を、前記上面と前記下面との間の寸法に対して１５％以上且つ３０％以下とすることを特徴とする請求項１乃至７のいずれか一項に記載の電池パック。
【請求項９】
前記凹部の曲面において、前記側面よりも前記第２部分が突出する方向に位置する長さは、前記側面から前記第２部分の反側面側の端部までの長さに対して２０％以下とすることを特徴とする請求項１乃至８のいずれか一項に記載の電池パック。
【請求項１０】
前記電池側レール部は、前後方向の一端側が開放されると共に他端側が閉鎖されており、
前記第２部分は、前記開放端側において前記下面が上方に傾斜又は湾曲された角部を有し、
前記凹部は前記第１部分が延びる前後方向に沿って形成されることを特徴とする請求項１記載の電池パック。
【請求項１１】
請求項１乃至１０のいずれか一項に記載の電池パックが接続される電池パック接続部と、
前記電池パック接続部に接続された前記電池パックによって駆動する駆動部と、を有する電気機器。
【発明の詳細な説明】
【技術分野】
【０００１】
本発明は、電池パック及び前記電池パックを備えた電気機器に関する。
【背景技術】
【０００２】
電動工具等の電気機器は、リチウムイオン電池等の二次電池を用いて駆動されるようになりコードレス化が進んでいる。例えば、モータにより先端工具を駆動する手持ち式の電動工具においては、複数の二次電池セルを収容した電池パックが用いられ、電池パックに蓄電された電気エネルギによってモータを駆動する。電池パックは電動工具本体に着脱可能に構成され、放電によって電圧が低下すると電池パックを電動工具本体から取り外して、外部の充電装置を用いて充電される。このような電池パックを用いた電動工具は例えば特許文献１に記載されている。
【先行技術文献】
【特許文献】
【０００３】
【特許文献１】特開２０１４−０３７０１８号公報
【発明の概要】
【発明が解決しようとする課題】
【０００４】
近年、電池パックを用いたコードレス式の電気機器は、高出力化や一充電当たりの長時間使用等の要求が高まっており、それに伴い電池パックの大容量化が進み、電池パックが大型化して重量も重くなる傾向にある。また、電気機器本体も高出力化に伴う大型化により、落下時等における衝突エネルギが増々大きくなる傾向にあるため、破損対策としての補強が重要になる。また、電池パックの大型化により、インパクトレンチ等の振動が大きな電気機器は高出力化に伴い増々振動が増加する傾向にあり、電池パックが受ける負荷によって電池ケースの破損や電池パックと電気機器本体との相対移動を抑制することが重要になる。
【０００５】
そこで、本発明は、電池パックの破損や変形を抑制することが可能な電池パック及び電気機器を提供することを目的としている。
【課題を解決するための手段】
【０００６】
本発明の一つの特徴によれば、上面において前後方向に互いに略平行に延びる一対の電池側レール部を有するケースと、前記ケースに収容される複数の電池セルと、を備えた電池パックであって、前記電池側レール部は、前記上面から上方に突出し側面を有する第１部分と、前記第１部分の側面から左右方向に突出し下面を有する第２部分と、前記側面と前記下面とを接続する接続部と、を有し、前記接続部に、左右方向において、前記側面よりも前記第２部分が突出する方向と反対側に凹んだ曲面を有する凹部を設けたことを特徴とする。
【０００７】
本発明のさらに他の特徴によれば、前記曲面の中心は、前記側面の延長線上から左右方向で前記第２部が突出する方向にずれて位置してもよい。
【０００８】
本発明のさらに他の特徴によれば、前記電池側レール部は、前後方向の一端側が開放されると共に他端側が閉鎖されており、前記凹部は前記電池側レール部の長手方向において、少なくとも前記開放端側に設けられてもよい。また、前記凹部は前記電池側レール部の長手方向の全域に設けてもよい。また、前記第１部分の前記開放側の端部は曲面形状となっており、前記凹部の凹み寸法は前記曲面形状の曲面よりも小さくてもよい。
【０００９】
本発明のさらに他の特徴によれば、前記凹部の前記側面からの凹み寸法を、前記第１部分の左右方向の幅寸法に対して２％以上且つ１５％以下としてもよい。また、前記曲面の半径を、前記第１部分の左右方向の幅寸法に対して１５％以上且つ２５％以下としてもよい。また、前記側面の延長上に位置する前記凹部の上下方向の寸法を、前記上面と前記下面との間の寸法に対して１５％以上且つ３０％以下としてもよい。
【００１０】
本発明のさらに他の特徴によれば、前記凹部の曲面において、前記側面よりも前記第２部分が突出する方向に位置する長さは、前記側面から前記第２部分の反側面側の端部までの長さに対して２０％以下としてもよい。
【００１１】
本発明のさらに他の特徴によれば、前記電池側レール部は、前後方向の一端側が開放されると共に他端側が閉鎖されており、前記第２部分は、前記開放端側において前記下面が上方に傾斜又は湾曲された角部を有し、前記凹部は前記第１部分が延びる前後方向に沿って形成されるようにしてもよい。
【発明の効果】
【００１２】
本発明によれば、電池パックの破損や変形を抑制することができる電池パック及び電気機器を提供することができる。また、角部Ｒ形状を変更するだけで効果を得ることができ、電池パックの大型化や新たに部品を追加することもなく、電気機器側を変更する必要もないので高価格化も回避できる。
【図面の簡単な説明】
【００１３】
【図１】本発明となる電気機器の一例である電動工具の断面図である。
【図２】図１の電気機器を構成する電気機器本体の電池パック装着部であり、（１）は底面図、（２）は正面図である。
【図３】本発明となる電池パックの上方斜視図である。
【図４】本発明となる電池パックの下方斜視図である。
【図５】本発明となる電池パックの電池側レール部の部分拡大図である。
【図６】本発明となる電池パックの断面図である。
【図７】電気機器が落下した場合および電気機器使用時の荷重方向を示す図である。
【図８】電池側レール部の応力解析を行う際の簡易モデルを示す図である。
【図９】図８の応力解析から得た電池側レール部の形状の有効範囲を示す図である。
【図１０】図９の有効範囲から外れた形状の一例を示す図である。
【発明を実施するための形態】
【００１４】
以下、本発明の第１の実施の形態にかかる電気機器の一形態となる電動工具の一例であるインパクトドライバ１について、図１及び図２に基づき説明する。インパクトドライバ１は、図示しないビット等の先端工具に回転力や軸方向の打撃力を加えることにより、被加工材（鉄鋼、木材等）に止具（ネジ等）を締結するための電動式の電動工具である。
【００１５】
以下の説明において、図１に示されている「上」を上方向、「下」を下方向、「前」を前方向、「後」を後方向と定義する。また、インパクトドライバ１を後から見た場合の「右」を右方向、「左」を左方向と定義する。本明細書において寸法、数値等に言及した場合には、当該寸法及び数値等と完全に一致する寸法及び数値だけでなく、略一致する寸法及び数値等（例えば、製造誤差の範囲内である場合）を含むものとする。「同一」、「直交」、「平行」、「一致」、「面一」等についても同様に「略同一」、「略直交」、「略平行」、「略一致」、「略面一」等を含むものとする。
【００１６】
インパクトドライバ１（電気機器）は、電動工具本体（電気機器本体）２と電池パック３により構成され、モータ４による回転駆動力を用いて機構部を介して先端工具や作業機器を駆動する。電動工具本体２の機構部は、減速機構５と打撃機構６を含んで構成され、打撃機構６の出力軸先端に形成される先端工具装着部７にビット等の図示しない先端工具が装着される。
【００１７】
電動工具本体２の本体部は、外形を形成する外枠たる樹脂製の本体ハウジング２０を備える。本体ハウジング２０は、モータ４、減速機構５、打撃機構６を収容する胴体部２０ａと、胴体部２０ａと一体に形成され胴体部２０ａから下方に延びて作業者が把持するためのハンドル部２０ｂと、ハンドル部２０ｂと一体に形成されハンドル部２０ｂの下端部から前方に延びるように形成されて電池パック３を装着するための電池パック装着部２０ｃから構成される。
【００１８】
モータ４はブラシレスモータであり、ブラシレスモータ（ロータ）の回転位置を検知するための磁気センサとブラシレスモータの回転を制御するためのスイッチング素子を有するインバータ回路とが実装されたインバータ回路基板部４ａがステータの後部に固定されている。また、モータ４の前方で減速機構５の後方の位置にファン４ｂがモータ４の回転軸に固定されている。
【００１９】
ハンドル部２０ｂの上端付近（胴体部２０ａとの接続部分）には、作業者が把持した状態で操作が可能なトリガスイッチ８が設けられ、ハンドル部２０ｂの内部には、後述する制御部１０に接続されているスイッチ機構９が設けられている。
【００２０】
電池パック装着部２０ｃには、電池パック３が装着された状態で電池パック３の図示せぬ端子部と電気的に接続される電池接続端子部２２を有するターミナルホルダ２１（図２参照）が設けられている。更に、電池パック装着部２０ｃ内には、モータ４を制御するマイコン等の各種回路が実装された制御基板を有する制御部１０が固定されている。制御部１０はスイッチ機構９やインバータ回路基板部４ａと電気的に接続されている。電池パック装着部２０ｃの詳細は後述する。
【００２１】
胴体部２０ａの前方には、減速機構５、打撃機構６、先端工具装着部７の後方部分を収容するハンマケース１１が設けられている。ハンマケース１１は、アルミニウム製であり略円筒形状をなしている。ハンマケース１１は、減速機構５、打撃機構６及び先端工具装着部７の一部を前方に向かう方向において当該順序で収容している。本発明において、本体ハウジング２０及びハンマケース１１がハウジングに相当し、インパクトドライバ本体（電気機器本体又は電動工具本体）と電池パック３を合わせたものが電気機器に相当する。
【００２２】
図２は電池パック装着部２０ｃの形状を示す図であって、（ａ）は電池パック装着部２０ｃの底面図、（ｂ）は電池パック装着部２ｃの正面図である。
【００２３】
電池パック３は、電池パック装着部２０ｃに対して前方から後方に向かってスライドすることで電池パック装着部２ｃに装着される。電池パック装着部２０ｃの下側部分には電気機器本体側の電池接続端子部２２を有するターミナルホルダ２１が設けられる。ターミナルホルダ２１は主に合成樹脂の成形品により形成（鋳込み形成）され、合成樹脂製の基体部２３に板状の金属端子、即ち、正極入力端子２３１、負極入力端子２３２、及び電池パック３からの異常信号が入力される異常信号端子２３３が配置される。
【００２４】
正極入力端子２３１、負極入力端子２３２、異常信号端子２３３は薄い板状であって、その面が基体部２３に対して鉛直方向になって電池パック３の装着方向（前後方向）に長手方向が位置するように配置される。
【００２５】
本体ハウジング２０は左右方向で２つに分割されたハウジング片を、複数の箇所でネジによって固定して構成される。なお、図１の本体ハウジング２０は左側ハウジング片を示している。電池パック装着部２０ｃの前方下面には、ネジボスを兼ねた突起部１１が突出しており、突起部１１が左右のハウジング片の固定箇所の一つとなる。
【００２６】
ターミナルホルダ２１の基体部２３は、本体ハウジング２０の各ハウジング片の凹状の挟持部２００、２００によって挟まれるようにして保持される。なお、ターミナルホルダ２１は本体ハウジング２０（電池パック装着部２０ｃ）に対して強固に保持するようにしてもよいし、本体ハウジング２０に対してわずかに相対移動ができるように緩やかに保持するようにしてもよい。
【００２７】
電池パック保持部２０ｃには、電池パック３の一対の電池側レール部（後述）と係合する一対の機器側レール溝部２１０と、電池パック３の一対の電池側レール溝部（後述）と係合する一対の機器側レール部２１１とが形成される。機器側レール溝部２１０及び機器側レール部２１１は前後方向（電池パック３のスライド方向）に延びている。機器側レール部２１１は、機器側レール溝部２１０より下方に位置して内側に突出している。すなわち、機器側レール部２１１は電池パック保持部２０ｃの外郭に対して内側に形成され、その底面２１２は電池接続端子部２２（正極入力端子２３１、負極入力端子２３２、異常信号端子２３３）よりも下方に位置する。機器側レール部２１１には後述する電池パック３の係止部４２が係合する凹部２１１ａが形成される。なお、機器側レール部２１１は、本実施の形態のように、電動工具本体２の外郭に対して内側に突出するように形成してもよいし、電動工具本体２の外郭に対して外側に突出するよう形成してもよい。
【００２８】
次に、電池パック３について図３乃至図６に基づき説明する。図３は電池パック３の上方斜視図、図４は電池パック３の下方斜視図、図５は電池パック３の電池側レール部の部分拡大図、図６は電池パック３の断面図である。なお電池パック３を単体で見た際の前後左右、上下の方向は、図３に示す方向として説明する。
【００２９】
電池パック３は、上下方向に分割可能な上ケース３１と下ケース３２からなるケースによって外郭となる筐体が形成される。なお、筐体は上ケースと下ケースから構成される必要はなく、左右又は前後に分割されたケースや、筐体の一部が電池セルを保持するセパレータによって構成されていてもよい。本実施の形態では上ケース３１と下ケース３２からなるケースを筐体として説明する。上ケース３１には、電動工具本体２の電池パック装着部２０ｃに形成された一対のレール溝部２１０（機器側レール溝部）と係合するための２本（一対）の電池側レール部３３ａと、電池側レール部３３ａの下側において電池パック装着部２０ｃに形成された一対の機器側レール部２１１と係合する一対の電池側レール溝部３３ｂが形成され、電池側レール部を構成している。電池側レール部３３ａ及び電池側レール溝部３３ｂは互いに略平行に形成され、一対の電池側レール部３３ａ間を繋いだ面が上段面３４となる。上ケース３１の前方側には平らな下段面３５が形成され、下段面３５と上段面３４は階段状に形成され、それらの接続部分には鉛直面となる段差部３６が形成される。段差部３６から上段面３４にかけて、前方から後方まで切り欠かれるような複数のスロット３７が形成される。複数のスロット３７は、段差部３６から後方側に延びるように電池パック装着方向（前後方向）に所定の長さを有するように切り欠かれた部分であって、装着方向と平行な上面と鉛直面にそれぞれ切り欠きが形成された部分には、電動工具本体２又は外部の充電装置（図示せず）の機器側端子と嵌合可能な複数の接続端子３８（図６参照）が配置される。
【００３０】
上段面３４の後方側には、隆起するように形成された隆起部３９が形成される。隆起部３９はその外形が上段面３４より上側に隆起する形状である、その中央付近に窪み状のストッパ部４０が形成される。ストッパ部４０は、電池パック３を、電池パック装着部２０ｃに装着した際に、電池パック装着部２０ｃの突起部１１（図２参照）に突き当てられる面となる。電動工具本体２側の突起部１１がストッパ部４０に当接する位置まで相対移動すると、電動工具本体２に配設された複数の端子２３１〜２３３（電池接続端子部２２である機器側端子）と電池パック３に配設された複数の接続端子３８が接触して導通状態となる。同時に、電池パック３のラッチ４１の係止部４２がばねの作用により電池側レール部３３ａの下部に形成された電池側レール溝部３３ｂ内で左右方向に飛び出して、電動工具本体２の機器側レール部２１１に形成された凹部２１１ａと係合することにより、電池パック３の脱落が防止される。隆起部３９（ストッパ４０）の後方には、電池パック３の残容量を表示するための表示部４５が設けられる。
【００３１】
一対の電池側レール部３３ａは下段面３５の上面から上方に延びた部分（第１部分）と、且つ、第１部分から直交方向外側に凸状に延びるように形成された部分（第２部分）で形成され、電池パック３の前方から後方まで直線状に形成される。電池側レール部３３ａの前方側端部は開放端となり、後方側端部は隆起部３９の前側壁面と接続された閉鎖端となる。電池側レール部３３ａと電動工具本体２の機器側レール溝部２１０とが係合し、電池側レール溝部３３ｂと電動工具本体２の機器側レール部２１１とが係合する。電池パック３を電動工具本体２から取り外すときは、左右両側にあるボタン状のラッチ４１を押すことにより、係止部４２が電池側レール溝部３３ｂの内側に移動して機器側レール部２１１の凹部２１１ａとの係止状態が解除されるので、その状態のまま電池パック３を装着方向と反対側に移動させればよい。
【００３２】
電池パック３のケース内部には、定格電圧３．６Ｖのリチウムイオン電池セル４３が上段に５本、下段に５本の計１０本が上下二段で収容される。本実施の形態では、セル４３は隣接するセルが電極の向きが逆になるように交互に配置され、それらを接続片によって接続することで、１０本のセルのうち５本が直列に接続され、２組の直列セル組が並列に接続されて定格電圧１８Ｖの電池パック３を構成している。なお、低容量の電池パックは上下方向に一段として５本のセルを直列に接続するのみとすればよく、逆に高容量の電池パックは上下方向に二段以上の電池セルを並列接続すればよい。各セルは不図示のセパレータによりケース内で保持されている。上段のセルの上には回路基板４４が下ケース３２の底面と略平行に設けられ、回路基板４４に複数の接続端子３８が固定される。なお、回路基板４４はセパレータの上面に固定される。また、セパレータが筐体（ケース）の一部を構成する場合でも電池セルが筐体内に収容されると考えることができる。
【００３３】
次に電池パック３のケース（上ケース３１及び下ケース３２）の構造について説明する。上ケース３１は外郭を形成する上側壁部を有する。上側壁部は、上ケース３１の上段部３４、下段部３５、隆起部３９等が設けられ電池パック３の上面となる上部３１ａと、上ケース３１の前部において上ケース上部３１ａから下方に延びる前壁３１１と、上ケース３１の左右両側において上ケース上部３１ａから下方に延びる一対の側壁３１２と、上ケース３１の後部において上ケース上部３１ａから下方に延びる後壁３１３と、から構成される。
【００３４】
同様に、下ケース３２は上ケース３１と共に外郭を形成する下側壁部を有する。下側壁部は、電池パック３の底面となる底壁３２１と、下ケース３２の前部において底壁３２１から上方に延びる前壁３２２と、下ケース３２の左右両側において底壁３２１から上方に延びる一対の側壁３２３と、下ケース３２の後部において底壁３２１から上方に延びる後壁３２４と、から構成される。
【００３５】
下ケース３２の内部に電池セル４３、セパレータ、回路基板４４、接続端子３８等からなるセルユニットを収容した状態で、上ケース３１を上方からかぶせて、不図示のネジによって両ケースを接続することで電池パック３が構成される。
【００３６】
ここで、電池パック３の電池側レール部３３ａ、電池側レール溝部３３ｂの構造について説明する。従来から、電池パックのレール部分の角部には微小な曲面Ｒが設けられている。すなわち、レール側面とレール上面とは曲面Ｒを介して接続されている。曲面Ｒは半径Ｒの円を示す。図７の上図のように、電池パックと電動工具本体を接続した状態で電池パックから先に地面Ｗ等に落下した場合、電池パックのレール部分には荷重Ｆ１が加わり、電動工具本体によってレール部分が引っ張られレール部分に応力が集中しレール部分が破損する可能性が生じる。また、図７の下図のように、電動工具を使用中の振動により電池パックのレール部分には荷重Ｆ２が加わる。そのため、レール部分の破損を抑制するために曲面Ｒを設けている。この曲面Ｒを大きくするほど応力集中は低減され破損の可能性は低くなるが、一方で曲面Ｒを大きくすると、その局面に合わせて機器側のレール部分の角部を削る必要がある。そのため、電池パックと電動工具本体とのレール部分同士の接触面積が小さくなってしまう。また、レール部のレール下面３３ｄを上方に凹ませる（抉る）構成も、電池パックと電動工具本体とのレール部分同士の接触面積が小さくなってしまう。従って、電動工具の使用時に発生する振動等によりレール部分に変形や摩耗が発生した際にガタが発生し易くなり、その結果、電池パックの振動が増加することで端子間のチャタリングにより電気的な接続が途切れたり、最悪は電動工具の使用時に電池パックが電動工具本体から外れてしまうことも考えられる。
【００３７】
更に、曲面Ｒを大きくすることは既存の電動工具本体に接続できず互換性が維持できなくなる可能性があり、曲面Ｒが大きい電池パックを使用する際は専用の電動工具本体を使用しなければならなくなり、使用者にとっては非常に不便である。
【００３８】
また、電池パックのレール部分に加わる応力を低減するための手段として、レール部分を全体的に大きく且つ長くすることも考えられるが、電動工具本体を含めた電動工具の全体的な大型化に繋がると共に、従来の電動工具本体との互換性の観点から望ましくない。
【００３９】
そこで、本発明においては、電池パックの角部の曲面Ｒを内側に凹んだ凹部として曲面を有する抉り形状とすることで大型化することなく従来の電動工具本体との互換性も維持することが可能な構成とした。
【００４０】
図４及び図５に示すように、電池パック３は電池側レール部３３ａと電池側レール溝部３３ｂを備えている。電池側レール部３３ａの第１部分（電池側レール溝部３３ｂ）の側面となるレール側面３３ｃと電池側レール部３３ａ（第２部分）の下面となるレール下面３３ｄとの接続部分となる角部３３ｅを、内側に凹んで曲面Ｒを有する抉り形状とした。更に、電池側レール部３３ａの開放端に曲面又はテーパ状の角部３３ｆを設けると共に、電池側レール溝部３３ｂの開放端にもテーパ状の角部３３ｇを設けた。ここで、曲面Ｒは、半径Ｒの円の中心がレール側面３３ｃの延長線上に位置せず、左右方向にずれた位置、具体的にはレール側面３３ｃから外側にずれて位置させた状態で円を描いた際の曲面Ｒを示している。
【００４１】
上記したように、角部３３ｅに応力集中が発生することを抑制するために、曲面Ｒを設けることは一般的な手段である。しかしながら、抉り形状を適正な形状としなければ、応力集中の抑制効果が低下するばかりか、場合によっては逆効果になってしまうこともある。更に応力が低下したとしてもレール部分の剛性も低下してレール部分が大きく変形し易くなってしまうと、電池パックの振動が大きくなったり電池パック３が電池パック装着部２０ｃから外れ易くなったりするため、性能低下や作用性の低下を招くことに繋がる。
【００４２】
本発明ではこれらの問題を解決するために適正な抉り形状を決定するために、応力解析を行うことで最適な抉り形状とすることができた。図８乃至図１０を用いて最適な抉りを説明する。図８（ａ）は図３の電池パック３のレール部分（電池側レール部３３ａ及び電池側レール溝部３３ｂ）を前方（電池パック装着部２０ｃに最初に挿入される側）から見た形状を簡易モデルに置き換えたものである。電池パック３の下面（下段面３５に相当）を拘束（固定）し、レール下面３３ｄの左右方向の開放側端部に、下方側から上方側に向けて一定荷重Ｆ３を与えた状態を示している。ここで荷重Ｆ３は電池パック３を電池パック装着部２０ｃに接続した状態で電池側レール部３３ａ（レール下面３３ｄ）が機器側レール部２１１から受ける荷重を想定している。
【００４３】
図８（ｂ）は、電池パック図１のレール部分を簡易モデルに置き換えたものであり、角部３３ｅの曲面Ｒを抉り形状としている。ここで各部の寸法について、レール部分の横幅をＢ１、縦方向の本体側レール部が挿入される箇所（電池側レール溝部３３ｂ）の高さをＨ１、電池側レール部３３ａのレール側面３３ｃから外側への突出量をＷ１とし、レール側３３ｃからの角部３３ｅの抉り幅（抉り部の横方向の寸法）をＢ２、抉り部の抉り高さ（上下方向においてレール側面３３ｃからレール下面３３ｄまでの抉りＲの高さ方向の寸法）をＨ２、レール側面３３ｃから抉り部分がレール下面３３ｄと接続する箇所までの幅寸法（飛び出し幅）をＷ２とする。ここで、上記したように抉り部は半円形状ではない、すなわち、曲面の中心がレース側面３３ｃから外側にずれて位置していることに注意されたい。
【００４４】
この簡易モデルを用いて応力解析を行った結果、剛性を維持しつつ応力集中を抑制できる効果が大きい範囲を示したものが図９（ａ）及び（ｂ）である。図９（ａ）は、横軸を横（左右）方向の抉り幅Ｂ２とレール部分の幅Ｂ１との比Ｂ２／Ｂ１（％）とし、縦軸を高さ（上下）方向の抉り高さＨ２とレール部分の溝部の高さＨ１との比Ｈ２／Ｈ１（％）としてグラフ化したものである。図９（ｂ）は横軸を同図（ａ）と同様Ｂ２／Ｂ１（％）とし、縦軸を曲面Ｒの寸法と横方向の抉り幅Ｂ１との比Ｒ／Ｂ１（％）としてグラフ化したものである。
【００４５】
図９において、斜線部分（有効範囲）は応力を５％以上低減しつつレール部の変形量の増加を２０％以下に抑えることができる範囲であり、レール変形量の増加を最小に抑えつつ応力低減させることができる。この範囲内では応力を１５％低減しつつレール変形量の増加を５％に抑えることができ、最も大きな効果を得ることができた。
【００４６】
図９（ａ）において、斜線部分（有効範囲）から外れた場合、外れた方向によって不具合の現象は異なっており領域Ａ〜Ｄに大別される。領域Ａは図８の抉り幅Ｂ２が小さく抉り高さＨ２が大きい場合である。この場合、角部３３ｅの抉りＲとレール下面３３ｄとを連続的に接続することができずエッジ（角）になってしまうか、又は、連続的に接続できるように抉り部とレール下面３３ｄとの接続箇所の飛び出し幅Ｗ２を大きくするしかなくなり、どちらの場合も応力や変形が大きくなり望ましくない形状となってしまう。また、飛び出し幅Ｗ２や抉り高さＨ２を大きくすることは上記したように電動工具本体のレール部との接触面積が小さくなり、両レール部間の摩耗の増加や電池パックの外れ易さを招くことから好ましくはない。
【００４７】
領域Ｂは飛び出し幅Ｈ２、抉り幅Ｂ２ともに大きくなり図８の荷重Ｆ３に対して変形が過大となり、応力も曲げに対する厚みの減少から曲面Ｒを大きくしても効果は小さく有効とはいえない。領域Ｃは飛び出し幅Ｈ２、抉り量Ｂ２ともに小さくなり効果を得ることはできない。領域Ｄは飛び出し幅Ｈ２が小さく、抉り量Ｂ２が大きくなるため小さい曲面Ｒになり易く応力が過大となってしまう。
【００４８】
図９（ｂ）においても同様に、斜線部分（有効範囲）を外れた場合、外れた方向によって不具合の現象は異なっており、同図（ａ）と同様に領域Ａ〜Ｄに大別される。領域Ａは図８の抉り幅Ｂ２が小さく角部３３ｅの曲面Ｒが大きい場合である。これを実現するには角部３３ｅの曲面Ｒとレール下面３３ｄとを連続的に接続することができずエッジになってしまうか、又は、連続的に接続できるように抉り部とレール下面３３ｄとの接続箇所の飛び出し幅Ｗ２を大きくするしかなくなり、どちらの場合も応力や変形が大きくなり望ましくない形状となってしまう。また、飛び出し幅Ｗ２や抉り高さＨ２を大きくすることは上記したように電動工具本体のレール部との接触面積が小さくなり、両レール部間の摩耗の増加や電池パックの外れ易さを招くことから好ましくはない。
【００４９】
領域Ｂは曲面Ｒ、抉り幅Ｂ２ともに大きくなり図８の荷重Ｆ３に対して変形が過大となり、応力も曲げに対する厚みの減少から曲面Ｒを大きくしても効果は小さく有効とはいえない。領域Ｃは曲面Ｒ、抉り幅Ｂ２ともに小さくなり効果を得ることはできない。領域Ｄは曲面Ｒが小さく、抉り幅Ｂ２が大きくなるため応力が過大となってしまう。
【００５０】
図１０は、図９（ａ）及び（ｂ）において有効範囲を外れた形状の一例を示したものである。これらの形状は、抉り幅Ｂ２、抉り高さＨ２、飛び出し幅Ｗ２の寸法が元の形状（従来の形状）に比べて大きすぎても小さすぎても効果が得られないことを示したものであり、図９（ａ）及び（ｂ）の領域Ａ〜Ｄのそれぞれに対応している。
【００５１】
なお、図８（ｂ）は最適な形状の一例である。具体的には、Ｂ２／Ｂ１は適正値２〜１５％に対して６.７％、Ｈ２／Ｈ１は適正値１５〜３０％に対して１８.９％、Ｒ／Ｂ１は適正値１５〜３５％に対して１７.８％、Ｗ２／Ｗ１は適正値５〜２０％に対して１１.０％である。なお、この値は公差を考慮し多少のばらつきが発生しても問題ない値としている。
【００５２】
図９は簡易モデルで検討を行った結果であるが、実際の電池パック３のレール形状は、図５において、角部３３ｅの抉り幅Ｂ２は、レール側面３３ｃと、レール側面３３ｃと垂直なレール部の開放端（入口側）の端面との角部３３ｇに設けられた曲面Ｒの値よりも同等以下とすることが望ましい。すなわち、抉り幅Ｂ２方向において、角部３３ｇの曲面Ｒの範囲内に抉り部が位置することが望ましい。言い方を変えると角部３３ｇの曲面Ｒよりも内側（図５の左側）に抉り部が形成されていないことが望ましい。角部３３ｅに角部３３ｇに設けられた曲面Ｒの値よりも抉り幅Ｂ２の値が大きくなると、角部３３ｇと角部３３ｅとの交差部分に直角となる領域が存在してしまうため、その領域に応力集中が発生し、レール部の破損が懸念されるからである。
【００５３】
また、角部３３ｅに設けられた抉り部の領域は機器側レール部の挿入方向（レール部が延びる方向）から見て一様としており、レール側面３３ｃの上部から外側方向に設けたレール下面３３ｄを有し、レール下面３３ｄの開放端（入口側）は機器側レール部を挿入しやすいように、レール下面３３ｄから上方に広がる方向に傾斜させた角部３３ｆとなっている。また、レール側面３３ｃから内側に抉られた角部３３ｅは、レール下面３３ｄをレール部の開放端側（入口側）で上方向に傾斜させる際に傾斜させた角部３３ｆから分岐してレール下面３３ｄに沿って真っすぐにレール部の開放端（入口）側に延ばすように形成することが望ましい。この構成により、レール部の入口側において比較的高い応力が発生し易い個所において、応力を分散させる効果が見込める。
【００５４】
なお、図４はレール部の角部３３ｅが入口側（開放端側）から根元側（閉鎖端側）まで一様に抉り部を設けた場合を示しているが、応力が比較的低い個所においては、必ずしもこの抉り部を設ける必要ない。例えば、レール部の入口付近および根元付近の角部３３ｅにのみ抉り部を設け、それらの間に位置する角部３３ｅには抉り部を設けず通常の曲面Ｒとしても、レール下面３３ｄが必要以上に変形することを抑制することができる。
【００５５】
以上から、本発明によれば、電池パック３に大きな負荷(応力)が発生した場合においてもレール部の変形や破損を抑制することができ、良好な状態を維持することが可能な電池パック及び電気機器を提供することができる。
【００５６】
以上、本発明について実施の形態に基づいて説明したが、本発明は上記した実施の形態に限定されるものではなく、その趣旨を逸脱しない範囲内で種々の変更が可能である。例えば、電気機器本体としてトリガスイッチとモータを有する電動工具本体を用いて説明したが、電動工具本体に限らずに電池パックからの電力を利用して動作する駆動部（ライト、スピーカ等）を有するその他の電動工具本体や、照明器具、音響機器、電動機器などの電気機器に幅広く利用することができる。また、電池パック側のスロットの配置や形状、電気機器本体側の端子の配置や形状は上述した構成だけに限られずに、その他の構成であってもよい。
【符号の説明】
【００５７】
１は電気機器、２は電気機器本体、３は電池パック、４はモータ、５は減速機構、６は打撃機構、７は先端工具装着部、８はトリガスイッチ、９はスイッチ機構、１０は制御部、１１はハンマケース、２０は本体ハウジング、２１はターミナルホルダ、２２は電池接続端子部、２３は基体部、３３ａは電池側レール部、３３ｂは電池側レール溝部、３３ｃはレール側面、３３ｄはレール下面、３３ｅ，３３ｆ，３３ｇは角部である。
【図１】
2019145461.tif 000003
【図２】
2019145461.tif 000004
【図３】
2019145461.tif 000005
【図４】
2019145461.tif 000006
【図５】
2019145461.tif 000007
【図６】
2019145461.tif 000008
【図７】
2019145461.tif 000009
【図８】
2019145461.tif 000010
【図９】
2019145461.tif 000011
【図１０】
2019145461.tif 000012